(57)【要約】【課題】従来の配電システムよりも構築・維持が容易な配電システムを提供する。【解決手段】交流電力が供給される交流母線１０を有する交流電力系統１と、直流電力系統２と、系統接続線３と、を備える配電システム１００である。直流電力系統２は、自然エネルギーを利用して直流電力を出力する発電機２１と、その直流電力を直流負荷５に供給する直流母線２０と、直流母線２０に接続される充放電装置２２と、を有する。系統接続線３は、交流母線１０と直流母線２０とを接続する。配電システム１００はさらに、系統接続線３に設けられ、交流母線１０からの交流電力を直流電力に変換する整流器３０と、系統接続線３における整流器３０よりも直流母線２０側に設けられ、交流母線１０から直流母線２０への送電を許容し、直流母線２０から交流母線１０への送電を規制する送電方向規制手段３１と、を備える。【選択図】図１
2013027177.tif 000002
【特許請求の範囲】
【請求項１】
交流電力が供給される交流母線を有する交流電力系統と、
自然エネルギーを利用して直流電力を出力する発電機、当該発電機からの直流電力を直流負荷に供給する直流母線、及びその直流母線に接続される充放電装置を有する直流電力系統と、
前記交流母線と前記直流母線とを接続する系統接続線と、
を備える配電システムであって、
前記系統接続線に設けられ、前記交流母線からの交流電力を直流電力に変換する整流器と、
前記系統接続線における前記整流器よりも前記直流母線側に設けられ、前記交流母線から前記直流母線への送電を許容し、前記直流母線から前記交流母線への送電を規制する送電方向規制手段と、
を備えることを特徴とする配電システム。
【請求項２】
前記直流母線の直流電圧を、前記系統接続線の直流電圧よりも高く設定したことを特徴とする請求項１に記載の配電システム。
【請求項３】
前記系統接続線と前記直流母線との接続位置に設けられ、前記交流母線から前記系統接続線を介した前記直流負荷への給電と、前記発電機から前記直流母線を介した前記直流負荷への給電と、を択一的に切り替える切替スイッチを備え、
常時は前記発電機から前記直流負荷に給電されるように構成したことを特徴とする請求項１または２に記載の配電システム。
【請求項４】
前記充放電装置を動作させる電力は、前記直流母線から給電されることを特徴とする請求項１〜３のいずれか一項に記載の配電システム。
【請求項５】
前記充放電装置は、レドックスフロー電池であることを特徴とする請求項１〜４のいずれか一項に記載の配電システム。
【発明の詳細な説明】
【技術分野】
【０００１】
本発明は、交流電力系統と、直流電力系統と、これらの系統を接続する系統接続線と、を備える配電システムに関する。
【背景技術】
【０００２】
昨今、地球温暖化への対策として、太陽光発電、風力発電といった自然エネルギーの導入が世界的に推進されている。しかし、これら自然エネルギーを利用した発電量は天候に大きく左右されるため、自然エネルギーによる発電は交流電力を用いた既存の配電システムに組み込まれて、電力需要を補助的に賄うために利用されている。
【０００３】
自然エネルギーを利用した配電システムとして、例えば特許文献１に記載の配電システムが挙げられる。特許文献１の配電システムは、交流電力系統と、直流電力系統と、系統接続線と、を備える。交流電力系統は、商用の交流電力が供給される交流母線を有する。直流電力系統は、自然エネルギーを利用して直流電力を出力する発電機と、当該発電機からの直流電力を直流負荷に供給する直流母線と、その直流母線に接続される充放電装置と、を有する。系統接続線は、交流母線と直流母線とを接続する。この系統接続線には、交流電力系統と直流電力系統との間で電力の遣り取りをできるように、双方向コンバーターが設けられている。このような構成とすることで、負荷の要求に対して発電機の直流電力が不足する場合には、充放電装置から直流電力を補うか、交流電力系統から双方向コンバーターを介して直流電力を補うことができる。また、負荷の要求に対して発電機の直流電力が過剰な場合には、直流電力系統から双方向コンバーターを介して交流電力系統に送電することができる。
【先行技術文献】
【特許文献】
【０００４】
【特許文献１】特開２０１１−１０９７８４号公報
【発明の概要】
【発明が解決しようとする課題】
【０００５】
しかし、従来の配電システムの構成が複雑であるため、配電システムの構築・維持が煩雑であった。
【０００６】
配電システムの構成が複雑になる要因の一つとして、直流電力系統から交流電力系統への送電量が自然エネルギーによる発電量以上とならないように制限されていることが挙げられる。電力会社の立場からすれば、電気料金の割安な時間帯に充放電装置に蓄電された電力を、割高な料金で買い取ることは避けたいからである。このような制限を行なうための制御は非常に複雑であり、構築・維持管理も煩雑である。また、交流電力系統への送電を行なう場合、発電機は発電設備と同等の扱いになるため、電力会社との交渉・手続き等も煩雑である。
【０００７】
本発明は、上記事情に鑑みてなされたものであり、その目的の一つは、従来の配電システムよりも構築・維持が容易な配電システムを提供することにある。
【課題を解決するための手段】
【０００８】
発明者は、上記事情を検討した結果、直流電力系統から交流電力系統へ送電する、即ち電力会社へ売電するという発想自体を捨て去り、配電システムを構築することで、配電システムを簡素化することを提案する。以下、本発明配電システムを説明する。
【０００９】
本発明配電システムは、交流電力系統と、直流電力系統と、系統接続線と、を備える。交流電力系統は、交流電力が供給される交流母線を有する。直流電力系統は、自然エネルギーを利用して直流電力を出力する発電機と、当該発電機からの直流電力を直流負荷に供給する直流母線と、その直流母線に接続される充放電装置と、を有する。また、系統接続線は、交流母線と直流母線とを接続する。この本発明配電システムは、系統接続線に設けられ、交流母線からの交流電力を直流電力に変換する整流器と、系統接続線における整流器よりも直流母線側に設けられ、交流母線から直流母線への送電を許容し、直流母線から交流母線への送電を規制する送電方向規制手段と、を備えることを特徴とする。
【００１０】
上記構成とすることで、直流電力系統から交流電力系統への送電量を考慮する必要がなくなるため、配電システムの構築（電力会社との契約などの事務手続きを含む）・維持が容易になる。また、当該発電システムでは、自然エネルギーによる発電量が直流負荷の要求に足らない場合、充放電装置や交流電力系統から不足分の電力を補うことができるので、直流負荷の安定的な動作が保証される。
【００１１】
本発明配電システムの一形態として、直流母線の直流電圧を、系統接続線の直流電圧よりも高く設定することが好ましい。
【００１２】
上記構成とすることで、系統接続線から直流母線への過剰な直流電力の流入を抑制し、自然エネルギーに由来する直流電力を有効に利用することができる。直流母線側の電圧を確実に高くするには、例えば、後述する実施形態に示すように、直流母線にＤＣ／ＤＣコンバーターを設けると共に、直流母線と系統接続線の直流電圧を監視して、その監視結果に基づいてＤＣ／ＤＣコンバーターと整流器の少なくとも一方を制御すると良い。
【００１３】
本発明配電システムの一形態として、系統接続線と直流母線との接続位置に設けられ、交流母線から系統接続線を介した直流負荷への給電と、発電機から直流母線を介した直流負荷への給電と、を択一的に切り替える切替スイッチを備えることが好ましい。その場合、常時は直流母線から直流負荷に給電されるように構成すると良い。
【００１４】
上記構成によれば、自然エネルギーにより発電された電力を有効に利用でき、直流負荷の利用者が負担する電気料金を割安にすることができる。
【００１５】
本発明配電システムの一形態として、充放電装置を動作させる電力を直流母線から給電されるように構成することが好ましい。
【００１６】
上記構成とすることで、交流電力系統が停電したときでも充放電装置を動作させることができる。ここで、充放電装置を動作させる電力とは、充放電装置に充電動作あるいは放電動作を行なわせるために設けられる周辺機器を動作させる電力のことである。例えば、レドックスフロー電池であれば、電解液を循環させるポンプや、電池における充電状態を監視する監視装置などが、周辺機器に相当する。
【００１７】
本発明配電システムの一形態として、充放電装置はレドックスフロー電池とすることができる。
【００１８】
充放電装置は、電力を蓄え、必要に応じて蓄えた電力を放出することができる構成であれば良く、特に限定されない。例えば、Ｎｉ−ＭＨ電池やＬｉイオン電池、ＮａＳ電池、レドックスフロー電池などの二次電池などが充放電装置の代表例である。特に、レドックスフロー電池は、大容量の物を容易に構築できるため、好ましい。
【発明の効果】
【００１９】
本発明配電システムによれば、従来の配電システムよりも構築・維持を容易にできる。
【図面の簡単な説明】
【００２０】
【図１】実施形態１に係る配電システムの概略構成図である。
【図２】実施形態２に係る配電システムの概略構成図である。
【発明を実施するための形態】
【００２１】
＜実施形態１＞
≪全体構成≫
図１に示すように、本実施形態の配電システム１００は、交流電力系統１と、直流電力系統２と、これら系統１，２を接続する系統接続線３と、制御手段４と、を備え、直流負荷５へ所望の電力を配電するシステムである。この配電システム１００の最も特徴とするところは、系統接続線３に整流器３０と送電方向規制手段３１が設けられていることである。以下、各構成を詳細に説明する。
【００２２】
≪交流電力系統≫
交流電力系統１は、電気事業者が構築したものであって、電気事業者が所有する発電機（火力、水力、原子力など）から出力される交流電力が供給される交流母線１０を備える。この交流電力系統１に、後述する系統接続線３を介して直流電力系統２が接続される。
【００２３】
≪直流電力系統≫
直流電力系統２は、電気事業者が構築して直流負荷５の所有者に提供しても良いし、直流負荷５の所有者自身が構築しても良い。この直流電力系統２は、自然エネルギーを利用して直流電力を出力する発電機２１と、当該発電機２１からの直流電力を直流負荷５に供給する直流母線２０と、直流母線２０に接続される充放電装置２２とを備える。
【００２４】
［発電機］
発電機２１は、例えば、太陽光や、風力、水力、潮力、波力、バイオマスなどの自然エネルギーを利用するものであれば特に限定されない。また、発電機２１は、直流電力を直接出力する整流子発電機（ＤＣ  ｇｅｎｅｒａｔｏｒ）でも良いし、交流発電機と整流器を組み合わせたオルタネーターでも良い。
【００２５】
［充放電装置］
充放電装置２２は、電力を蓄え、必要に応じて蓄えた電力を放出することができる構成であれば良く、特に限定されない。例えば、充放電装置２２として、Ｎｉ−ＭＨ電池やＬｉイオン電池、ＮａＳ電池、レドックスフロー電池などの二次電池を利用できる。その他、電力を電気化学的な形態とは異なる形態で貯蔵する構成としても良い。例えば、水素製造装置と、水素貯留タンクと、燃料電池とで充放電装置２２を構成する。その場合、電力を用いて水素製造装置で水素を作製し、水素貯蔵タンクに貯蔵しておくことで電力を蓄え、電力を放出する際は、タンクの水素を使って燃料電池で発電する。以上、例示したこれらの構成の中でも、レドックスフロー電池は、大容量のものを容易に構築することができるので、好ましい。レドックスフロー電池としては、電解液としてＶ、Ｆｅ、Ｃｒ、Ｂｒ、Ｍｎ、Ｔｉイオン等を用いたものが好適である。
【００２６】
上記充放電装置２２は、分岐線２３を介して直流母線２０に接続される。本実施形態では、その接続位置は、直流母線２０に対する系統接続線３の接続位置よりも直流負荷５側としている。もちろん、直流母線２０に対する分岐線２３の接続位置は、系統接続線３の接続位置よりも上流側（発電機２１側）であっても良い。
【００２７】
この充放電装置２２を動作させる周辺機器２５は、分岐線２４を介して直流母線２０から電力の供給を受けて動作する。もちろん、周辺機器２５は、交流電力系統１と直流電力系統２とは独立した電源から電力の供給を受けて動作するようにしても良い。ここで、周辺機器２５とは、例えば、充放電装置２２がレドックスフロー電池であれば、電解液を循環させるポンプや、電解液の温度を調節する温度調節手段などである。後述する制御手段４も周辺機器と見做しても良い。
【００２８】
［その他］
本実施形態の直流電力系統２はさらに、発電機２１から出力される直流電圧を変化させるＤＣ／ＤＣコンバーター２１０を備える。このＤＣ／ＤＣコンバーター２１０は、直流負荷５の構成によっては無くても構わないが、本実施形態では、後述する制御手段４による制御を受けて、直流母線２０の直流電圧を調整している。
【００２９】
≪系統接続線≫
系統接続線３は、交流母線１０と直流母線２０とを接続する。ただし、本発電システム１００では、従来と異なり、交流電力系統１から直流電力系統２へ電力を供給できるようになっているものの、直流電力系統２から交流電力系統１へは電力を供給できないようになっている。このような構成を達成するために、系統接続線３には、整流器３０と、送電方向規制手段３１が設けられている。
【００３０】
［整流器］
整流器３０は、交流を直流に変換できるものであれば特に限定されず、市販のものを利用することができる。この整流器３０を設けることにより、直流負荷５の要求電力に対して、発電機２１の発電量も充放電装置２２の蓄電量も不足している場合に、交流電力系統１から電力の供給を受けることができる。
【００３１】
［送電方向規制手段］
送電方向規制手段３１は、系統接続線３における整流器３０よりも下流側（直流母線２０側）に接続され、交流母線１０から直流母線２０への送電を許容するが、直流母線２０から交流母線１０への送電を許容しない。この送電方向規制手段３１としては、市販のダイオードなどを好適に利用できる。その場合、ダイオードのアノード（陽極）は交流母線１０側に、カソード（陰極）は直流母線２０側に配されるようにすると良い。
【００３２】
≪制御手段≫
本実施形態の制御手段４は、例えば、コンピューターなどで構成することができ、主として（１）充放電装置２２の制御、（２）直流母線２０の電圧の制御、を行なっている。なお、制御手段４への給電は、交流電力系統１から行なっても良いし、直流電力系統２の直流母線２０もしくは充放電装置２２から行なっても良いし、系統１，２とは独立した電源から行なっても良い。
【００３３】
（１）充放電装置２２の制御
制御手段４は、直流負荷５の要求電力に応じて充放電装置２２を制御する。例えば、直流負荷５の要求電力に対して、発電機２１の発電量に余剰がある場合、その余剰電力を充放電装置２２に充電させるように充放電装置２２を制御する。例えば、充放電装置２２がレドックスフロー電池であれば、電解液を循環させるポンプを動作させて、充放電装置２２に充電を行なわせる。
【００３４】
一方、直流負荷５の要求電力に対して、発電機２１の発電量が不足している場合、制御手段４は、充放電装置２２から放電させるように充放電装置２２を制御する。
【００３５】
その他、直流負荷５の要求電力がない場合（例えば、深夜時間帯）、発電機２１からの電力や交流電力系統１からの電力を充放電装置２２に充電させるように充放電装置２２を制御する。
【００３６】
（２）直流母線２０の電圧の制御
制御手段４は、直流母線２０の電圧が、系統接続線３における整流器３０よりも直流母線２０側の電圧に比べて高くなるようにＤＣ／ＤＣコンバーター２１０と整流器３０を制御する。そうすることで、発電機２１からの直流電力を余すところなく利用することができる。もちろん、発電機２１による発電量が十分でない場合は、この限りではない。
【００３７】
以上説明した配電システム１００によれば、系統接続線３に設けられた整流器３０と送電方向規制手段３１により、直流電力系統２から交流電力系統１へ送電されないようにすることができる。そのため、従来のように、直流電力系統２から交流電力系統１への送電量（売電量）が制限値を超えないように当該送電量を調整する必要がない。その分だけ、配電システム１００の構成や制御を簡素化でき、配電システム１００の構築を容易にできる。また、電気事業者との売電に関する契約などの事務手続きを簡素化できる。
【００３８】
＜実施形態２＞
実施形態２では、図２を参照して系統接続線３と直流母線２０との接続位置に切替スイッチ３２を設けた配電システム２００を説明する。この切替スイッチ３２とその制御に関すること以外は、実施形態１と同様であるため、以下には実施形態１との相違点のみを説明する。
【００３９】
切替スイッチ３２は、交流母線１０から系統接続線３を介した直流負荷５への給電と、発電機２１から直流母線２０を介した直流負荷５への給電と、を択一的に切り替えるための構成である。この切替スイッチ３２を備える配電システム２００では、常時は、切替スイッチ３２の接点Ａと接点Ｂとが繋がるようにして、発電機２１から直流負荷５に給電されるようにしておく。そうすることで、自然エネルギーに由来する直流電力を余すところなく利用することができる。
【００４０】
一方、発電機２１による発電量が十分でない場合、切替スイッチ３２の接点Ｂと接点Ｃとが繋がるようにして、交流母線１０から直流負荷５に給電されるようにする。
【００４１】
切替スイッチ３２の切り替えは、制御手段４が行なうと良い。例えば、制御手段４は、発電機２１から出力される直流電力を監視し、その直流電力が所定値を下回った場合に、切替スイッチ３２を接点Ａから接点Ｃに繋ぎ替え、交流母線１０から系統接続線３・直流母線２０を介して直流負荷５に給電されるようにする。
【００４２】
本実施形態の構成によれば、自然エネルギーによる発電量が十分な場合は、その自然エネルギーにより発電された電力を無駄なく利用することができる。
【００４３】
なお、本発明は、上述した実施形態に限定されるわけではなく、本発明の要旨を逸脱しない範囲で適宜変更して実施することが可能である。
【産業上の利用可能性】
【００４４】
本発明配電システムは、自然エネルギーを利用した配電システムに好適に利用可能である。
【符号の説明】
【００４５】
１００，２００  配電システム
１  交流電力系統
１０  交流母線
２  直流電力系統
２０  直流母線  ２１  発電機  ２２  充放電装置
２１０  ＤＣ／ＤＣコンバーター  ２３，２４  分岐線  ２５  周辺機器
３  系統接続線
３０  整流器  ３１  送電方向規制手段  ３２  切替スイッチ
４  制御手段
５  直流負荷
【図１】
2013027177.tif 000003
【図２】
2013027177.tif 000004